(57)【要約】  【課題】  酸素混入追い焚き運転時において、風呂アダプタより酸素を噴出するときの圧縮音を軽減し、運転騒音の低減を目的とする。  【解決手段】  ポンプ１８により浴槽２１の湯が循環する追焚き循環回路２０と、前記浴槽２１に設けた追焚きアダプタ２２と、気体を追焚き循環回路２０に混入させる混入手段２７を有し、前記追い焚き循環回路２０に混入させた気体を前記追焚きアダプタ２２より噴出させる構成とし、前記追焚きアダプタ２２は噴出経路の通過面積が前記循環回路の通過面積の半分以下にならないように構成してある。【選択図】  図１
2005076947.tif 000002
【特許請求の範囲】
【請求項１】
ポンプにより浴槽水を循環し熱交換器で加熱して風呂追い焚きを行う追焚き循環回路と、浴槽に設け前記追い焚き循環回路の吸入口及び吐出口を形成する追焚きアダプタと、高濃度の酸素を発生する酸素富化装置と、前記熱交換器下流側に設け前記酸素富化装置で発生する気体を追焚き循環回路に混入させる混入手段を有し、前記追い焚き循環回路に混入させた気体を前記追焚きアダプタより噴出させる構成とした追焚き機能付き給湯装置であって、前記追焚きアダプタは噴出経路の通過面積が前記循環回路の通過面積の半分以下にならないように構成した追焚き機能付き給湯装置。
【請求項２】
追い焚きアダプタの噴出通路をほぼ同断面積のパイプで構成した請求項１記載の追焚き機能付き給湯装置。
【請求項３】
追い焚きアダプタの噴出通路の断面積が徐々に減少するパイプで構成した請求項１記載の追焚き機能付き給湯装置。
【請求項４】
追い焚きアダプタの噴出通路を斜め下方向に傾斜させた請求項２または３記載の追焚き機能付き給湯装置。
【請求項５】
追い焚きアダプタの噴出通路を弾性を有する材料で構成した請求項２または３記載の追焚き機能付き給湯装置。
【請求項６】
噴出通路を軸を中心として回転可能にした請求項４記載の追焚き機能付き給湯装置。
【発明の詳細な説明】
【技術分野】
【０００１】
本発明は、追焚き循環回路を有する給湯器の追焚き配管を利用して、浴槽内の浴水中に酸素等の気体を供給する機能を有する給湯装置に関するものである。
【背景技術】
【０００２】
従来この種の酸素供給装置は、微細気泡発生装置やジェット噴射装置を取り付け、この各装置を介して浴槽水を循環させる泡風呂やジェットバス等の浴槽水を循環させる管路に気体を供給する供給部を設け、この供給部に酸素富化空気を供給するための酸素富化装置を設けたものである（例えば、特許文献１参照）。
【０００３】
図９は、上記文献に記載された従来の浴槽内への酸素供給装置を示すものである。図において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００４】
しかしながら上記従来の構成では、微細気泡発生装置やジェット噴射装置を取り付けた風呂装置において、泡風呂配管やジェットバス配管の管路の途中に酸素供給部を設け、この供給部に酸素富化空気を供給するものであるため、酸素を浴槽に供給するためには、微細気泡発生装置やジェット噴射装置を取り付け、専用の風呂システムを有することが必要であり、一般家庭で簡単に設置できるものではなかった。また、ジェットバスシステムでは流量が大きいため、電気代や騒音等の関連で長時間使用することが難しく、十分な酸素を供給することもできないという課題を有していた。
【０００５】
本発明は上記従来の課題を解決するもので、殆どの家庭で設置している追い焚き機能付き給湯機の追い焚き循環回路を用いて、酸素富化装置からの高濃度の酸素等の気体を混入させ、浴槽内に設置した追い焚き循環水を吐出する追焚きアダプタより噴出させる構成とすることで、特別な経路を付加することなく、安価に取り付け可能な、かつ循環流量も少なく、長時間の酸素等の気体の供給が可能な装置を提供することを目的とする。
【課題を解決するための手段】
【０００６】
上記目的を達成するため本発明の追い焚き機能付き給湯装置は、ポンプにより浴槽の湯が循環する追焚き循環回路と、前記浴槽に設けた追焚きアダプタと、気体を追焚き循環回路に混入させる混入手段を有し、前記追い焚き循環回路に混入させた気体を前記追焚きアダプタより噴出させる構成とし、前記追焚きアダプタは噴出経路の通過面積が前記循環回路の通過面積の半分以下にならないように構成したものである。
【０００７】
上記発明によれば、常に使用する追焚き装置に酸素富化装置他を追加するだけで、より高濃度の酸素等の気体を簡単に得ることができるようになるとともに、循環回路に気体を混入して噴出した場合、気体が圧縮されるために耳障りな騒音が発生するという課題も解決されるものである。
【発明の効果】
【０００８】
以上のように本発明によれば、酸素発生装置を循環流路中に混入すれば、入浴中の人が高濃度の酸素を吸いながら湯につかることで、温浴効果を促進したり、居眠りを防止したりすることが可能となる。また、酸素以外の気体や空気であっても、気泡が破裂するときの超音波の発生等により洗浄効果等が期待されるものである。そして、この構成であれば、給湯機のケーシングの中に納まるので余分なスペースも不要であると共に、安価に作成ができるため、一般の家庭への設置も可能である。また、循環回路に気体を混入して噴出した場合、気体が圧縮されるために耳障りな騒音が発生するという課題も解決されるものである。
【発明を実施するための最良の形態】
【０００９】
請求項１に記載の発明は、ポンプにより浴槽水を循環し熱交換器で加熱して風呂追い焚きを行う追焚き循環回路と、浴槽に設け前記追い焚き循環回路の吸入口及び吐出口を形成する追焚きアダプタと、高濃度の酸素を発生する酸素富化装置と、前記熱交換器下流側に設け前記酸素富化装置で発生する気体を追焚き循環回路に混入させる混入手段を有し、前記追い焚き循環回路に混入させた気体を前記追焚きアダプタより噴出させる構成とした追焚き機能付き給湯装置であって、前記追焚きアダプタは噴出経路の通過面積が前記循環回路の通過面積の半分以下にならないように構成したことを特徴とするものである。
【００１０】
そして、混入手段によって酸素富化装置からの高濃度の酸素等の気体は、追焚き配管の中の湯または水に混入され、この酸素が混入された湯または水が浴槽に取り付けた追焚きアダプタから噴出するときに、高濃度の酸素等の気体が気泡となって浴槽水の中を通過し、その後浴室内に充満するようになる。
【００１１】
この結果、入浴中の人が高濃度の酸素を吸いながら湯につかることで、温浴効果を促進したり、居眠りを防止したりできる。また、浴槽水の中に酸素が溶け込むことにより雑菌の発生を抑え、ぬめりや臭いを減少させる効果も期待できる。
【００１２】
さらに、酸素以外の気体や空気であっても、気泡が破裂するときの超音波の発生等により洗浄効果等が期待されるものである。
【００１３】
そして、この構成であれば給湯機が持つ追い焚き回路を利用するため、酸素富化装置を含む気体混入装置をケーシングの中に納めることができ、余分なスペースも不要であると共に、安価に製作でき、一般の家庭への設置も可能である。
【００１４】
また、循環回路に気体を混入した場合に、追い焚きアダプタの噴出しノズル部分で絞られて気体が圧縮されると、それが開放されたときに耳障りな音が発生するが、前記追焚きアダプタは噴出経路の通過面積が前記循環回路の通過面積の半分以下にならないように構成したことにより、気体の圧縮を極力抑えて耳障りな音が発生しないようになっている。確認結果においては、前記噴出経路の通過面積が半分以下になると、気泡の破裂音等が急激に増加して騒音が大となる。
【００１５】
請求項２に記載の発明は、追焚きアダプタの噴出通路をほぼ同断面積のパイプで構成したことを特徴とするもので、パイプを通過する間に流れは整流され、騒音を発生させずに、絞りを設けた場合とほぼ同様の効果を得ることが可能となるものである。
【００１６】
請求項３に記載の発明は、追焚きアダプタの噴出通路の断面積が徐々に減少するパイプで構成したことを特徴とするもので、流れの整流効果が促進されて遠くまで気泡を含んだ流れを噴出させることが可能となる。
【００１７】
請求項４に記載の発明は、追焚きアダプタの噴出通路を斜め下方向に傾斜を設けたことを特徴とするもので、追い焚き時にノズル部分より噴出される高温の湯は下方向に行き、気泡は浮力の効果でほぼ正面に噴出することで、安全に気泡を体に当てることが可能になるものである。
【００１８】
請求項５に記載の発明は、追焚きアダプタの噴出通路を弾性を有する材料で構成したことを特徴とするもので、噴出口が塞がれたりして気泡が圧縮された場合でも弾性体が衝撃を吸収して騒音が発生しないようにすることが可能となる。
【００１９】
請求項６に記載の発明は、噴出通路を軸を中心にして回転可能に構成したことを特徴とするもので、気泡の噴出方向を任意に変えることが可能になるものである。
【実施例】
【００２０】
図１は、本発明の一実施例における酸素富化給湯装置の全体構成図を示すものである。９は給湯装置本体、１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６から出、カラン１７等から吐出される。１８は、追焚き循環回路２０に設けられた風呂ポンプで、これから出た循環水はパイプ１９を通りながら熱交換器１２で加熱された後、混入手段２７で酸素富化空気を混入される。この場合、混入手段としてエゼクタのような循環水に対する絞りを設けて空気を引っ張る構成を用いることで、流れに負圧を発生させて酸素富化空気を混入させれば多量の空気を入れることができ、効果が大きい。また、この場合、混入させるのは酸素富化空気のみではなく、通常の空気でも効果はある。
【００２１】
ここで、加熱された後で酸素富化空気を混入するのは、加熱される以前に混入すると、熱交換器通過中に異常音が発生したり、熱交換器の腐食を促進したりする恐れがあるからである。２１は浴槽で２２は追焚きアダプタである。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３，２４，２５で酸素富化装置２６を構成している。この真空ポンプ２４は酸素富化膜の下流側に配置されているので、酸素富化装置の薄い膜がフィルターの役目をし、真空ポンプにごみが詰まる恐れが無く真空ポンプ用のフィルターは不要である。
【００２２】
以上のように構成された追焚き機能付き給湯装置について、以下その動作・作用を説明する。
【００２３】
混入手段２７によって酸素富化装置２６からの高濃度の酸素は追焚き回路２０の中の湯または水に混入され、この酸素が混入された湯または水が浴槽２１に取りつけた追焚きアダプタ２２から噴出するときに、高濃度の酸素が気泡２８となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００２４】
また、図２に示すように、空気供給手段として、給湯機本体ケース９にガラリ３０（２９は燃焼用空気を吸込むためのガラリ）を設け、前記ガラリ３０より吸い込まれた空気が前記酸素富化膜２３に供給される構成としたもので、給湯機の燃焼ファン１１の吸込み圧力を利用して、酸素富化膜２３用に開口したガラリ３０から空気を吸込ませ、その空気で酸素富化膜２３の新鮮空気とするものである。
【００２５】
これにより、酸素富化膜専用のファンが不要となり、より簡単な構成にすることが可能となる。
【００２６】
また、前記エゼクタの絞り部により生ずる負圧を利用して、酸素富化膜２３から高濃度の酸素を混入させる構成とすることで、混入空気の量は減少するが、真空ポンプ２４が不要となり、可動部が不要なため非常に簡単な構成にすることが可能となる。
【００２７】
また、図３に酸素富化膜の一例を示す。フレーム３１の表面に薄い膜３２を貼りつけ、新鮮空気３３を、加圧または減圧手段により薄い膜３２の間を通過させることによって酸素濃度を高めた空気３４として取り出す構成としたもので、これにより簡単な構成で安定した性能を得られるものである。３５は酸素を取りだした後の、残った空気であり、これを大気中に放出する。
【００２８】
図４に、追焚きアダプタ２２の一実施例を示す。噴出経路３６およびノズル３７は通過面積Ａが循環回路３９（吹き出し側）の通過面積の半分以下にならないように構成されている。３８は噴出経路を支持するガイド、４０は吸込み側の循環回路である。この構造により循環回路３９より入った気泡を混入した流れは、気体が圧縮されることが殆どないので、耳障りな音が発生することが無いものである。
【００２９】
図５に、追焚きアダプター２２の他の実施例を示す。この場合噴出経路４１を断面積が徐々に減少するパイプで構成したもので、流れの整流効果が促進されて遠くまで気泡を含んだ流れを噴出させることなる。
【００３０】
図６は、噴出通路４２を斜め下方向に向けたもので、図に示すようにノズル部分より噴出される高温の湯は下方向に行き、気泡は浮力の効果でほぼ正面に噴出することで、安全に気泡を体に当てることが可能になるものである。
【００３１】
図７は、噴出通路４３を弾性を有する材料で構成したもので、噴出口が塞がれたりして気泡が圧縮された場合でも弾性体が衝撃を吸収して騒音が発生しないようにすることが可能となる。
【００３２】
図８は、噴出通路４４を軸を中心にして回転可能にしたもので、気泡の噴出方向を任意に変えることが可能になるものである。
【図面の簡単な説明】
【００３３】
【図１】本発明の一実施例における酸素富化給湯装置の全体構成図
【図２】同酸素富化給湯装置の外観図
【図３】同酸素富化給湯装置の富化膜部分の断面図
【図４】同酸素富化給湯装置の追焚きアダプタの断面図
【図５】同酸素富化給湯装置の他の追焚きアダプタの断面図
【図６】同酸素富化給湯装置の他の追焚きアダプタの断面図
【図７】同酸素富化給湯装置の他の追焚きアダプタの断面図
【図８】同酸素富化給湯装置の他の追焚きアダプタの正面図
【図９】従来の酸素供給装置の全体構成図
【符号の説明】
【００３４】
１８  ポンプ
２０  追焚き循環回路
２１  浴槽
２２  追焚きアダプタ
２６  酸素富化装置
２７  混入手段
３６  噴出経路
【図１】
2005076947.tif 000003
【図２】
2005076947.tif 000004
【図３】
2005076947.tif 000005
【図４】
2005076947.tif 000006
【図５】
2005076947.tif 000007
【図６】
2005076947.tif 000008
【図７】
2005076947.tif 000009
【図８】
2005076947.tif 000010
【図９】
2005076947.tif 000011